(57)【要約】【課題】２つの容器を組み合わせて構成される包装容器であって、両方の容器を共に調理に供すべく、各容器の連結構造を工夫するとともに、その断熱性を高めた包装容器を提供する。【解決手段】第１容器１０と第２容器２０とが着脱可能に連結されてなる包装容器。第１容器１０は、開口周縁にカール部１１ａを備えた紙製の第１容器本体１１と、当該第１容器本体の周壁を覆う第１帯体１５とを備えた２重壁構造を有する。第２容器２０は、プラスチック成型品で構成された第２容器本体２１と、当該第２容器本体の周壁を覆う第２帯体２５とを備えた２重壁構造を有する。第２容器本体２１の開口周縁に形成したフランジ部２１ａを、第１容器本体１１のカール部１１ａに弾性的に外嵌させることで、第１容器１０と第２容器２０とが着脱可能に連結される。【選択図】図１
2008189329.tif 000002
【特許請求の範囲】
【請求項１】
開口周縁にカール部（１１ａ）を備えた紙製の第１容器本体（１１）と、当該第１容器本体の周壁を覆う第１帯体（１５）とを備えた２重壁構造の第１容器（１０）と、
プラスチック成型品で構成された第２容器本体（２１）と、当該第２容器本体の周壁を覆う第２帯体（２５）とを備えた２重壁構造の第２容器（２０）と、で構成される包装容器であって、
第２容器本体（２１）の開口周縁に形成したフランジ部（２１ａ）を、第１容器本体（１１）のカール部（１１ａ）に弾性的に外嵌させることで、第１容器（１０）と第２容器（２０）とが着脱可能に連結されてなることを特徴とする、包装容器。
【請求項２】
上記第１容器本体（１１）には、当該容器本体の開口を封止する蓋材が設けられ、第２容器本体（２１）には蓋材が設けられておらず常時開口していることを特徴とする、請求項１記載の包装容器。
【請求項３】
上記第１容器本体（１１）の周壁には複数の突起が形成されていて、当該突起により、第１容器本体（１１）と第１帯体（１５）との間に空間が形成されていることを特徴とする、請求項１または２記載の包装容器。
【請求項４】
上記第２容器本体（２１）の周壁には複数の突起が形成されていて、当該突起により、第２容器本体（２１）と第２帯体（２５）との間に空間が形成されていることを特徴とする、請求項１または２記載の包装容器。
【発明の詳細な説明】
【技術分野】
【０００１】
本発明は、インスタント食品を収容する包装容器に関する。
【背景技術】
【０００２】
例えばカップ入り即席ラーメンに代表されるインスタント食品は、多種多様なものが知られている。それらの多くは、カップ状の容器にお湯を注いで調理するものである。
【０００３】
熱湯を注いで調理する場合に、消費者がカップ状容器を手に持っても、熱さをあまり感じないようにするため、あるいは保温性を高めるために、断熱性に優れた容器が提案されている。特許文献１および特許文献２では、容器を２重壁構造とすることで断熱性を高めている。
【０００４】
一方、多様な形態が種々提案されるインスタント食品の分野において、他の商品との差別化を図るべく、これまでにない新規な包装形態を模索する中で、カップ状容器を２つ組み合わせて構成される包装容器であって、両方の容器を共に調理に利用する形態に思い至った。
【０００５】
【特許文献１】特開平１１−３２１９３６号公報
【特許文献２】特開２００４−３１５０３２号公報
【発明の開示】
【発明が解決しようとする課題】
【０００６】
本発明の目的は、２つの容器を組み合わせて構成される包装容器であって、両方の容器を共に調理に供すべく、各容器の連結構造を工夫するとともに、その断熱性を高めた包装容器を提供することである。
【課題を解決するための手段】
【０００７】
本発明は、上記課題を有効に解決するために創案されたものであって、以下の特徴を備えた包装容器を提供する。
本発明の包装容器は、第１容器と第２容器を着脱可能に連結してなる。
第１容器は、「開口周縁にカール部を備えた紙製の第１容器本体」と「当該第１容器本体の周壁を覆う第１帯体」とを備えた２重壁構造を有する。一方、第２容器は、「プラスチック成型品で構成された第２容器本体」と「当該第２容器本体の周壁を覆う第２帯体」とを備えた２重壁構造を有する。
第２容器本体の開口周縁にはフランジ部が形成されていて、このフランジ部を、第１容器本体のカール部に弾性的に外嵌させることで、第１容器と第２容器とが着脱可能に連結されている。
【発明の効果】
【０００８】
上記構成を備えた本発明の包装容器は、第１および第２の２つの容器を、各開口部を付き合わせた状態で、着脱可能に連結して構成される。
したがって、第１容器および第２容器内に即席食品の具を適宜収容して連結し、その状態で販売できる。また、消費者は、第１容器および第２容器を簡単に分離して、２つの容器を使用してインスタント食品を調理できる。
しかも、「紙製の第１本体側のカール部」に対して「プラスチック製の第２容器側のフランジ部」を弾性的に外嵌させることで、第１容器と第２容器との連結を実現しているので、両容器を従来から知られている方法で簡単に作成することができる。
【０００９】
また、第１容器および第２容器が共に２重壁構造を有していて、断熱性および保温性に優れるため、両方の容器を共に調理に供し、そこに熱湯を注ぐ必要のある即席食品に特に適している。
【発明を実施するための最良の形態】
【００１０】
本発明の実施形態を添付の図面を参照して、詳細に説明する。図１は、本発明の包装容器の使用態様の一例として、即席スパゲッティに適用した場合を示している。
第１容器１０は、麺を調理するのに使用され、第２容器２０は、ソースを調理するのに使用される。図１では各容器１０、２０の形態を概略的に示しているが、第１容器１０と第２容器２０は、図２および図３を参照して以下に説明するように、互いの上部開口を付き合わせるようにして着脱可能に連結される。
【００１１】
≪第１容器１０≫
第１容器１０は、紙製の第１容器本体１１と、その周壁を覆う第１帯体１２とで構成される。
【００１２】
第１容器本体１１は、開口周縁にカール部１１ａを備える。このカール部１１ａは、使い捨ての紙コップ等において一般的に知られたものであって、開口端部を断面円形に巻き込んで構成されるものである。
カール部１１ａは、後述するように、第１容器１０と第２容器２０との連結のために利用される。
【００１３】
第１容器本体１１の周囲には第１帯体１５が巻き付けられていて、２重壁構造を為している。この帯体は、容器の断熱性および保温性を高めるために設けられるものであって、当該帯体と容器本体との間には空間が存在することが好ましい（必ずしも、必要ではない）。
図示の例では、第１容器本体１１の周壁をテーパ状とし、第１帯体１５の下端内側にカール部１６を設けることで、両者の間に空間１９を設けている。
【００１４】
第１容器本体１１と第１帯体１５との間に空間を設けるための構成としては、上記の他にも適宜の構成を採用できる。例えば、第１容器本体１１の周壁上に一定間隔で複数の突出部（リブ等）を設け、その上に帯体を直接巻き付けることで、空間を確保できる。
【００１５】
なお、帯体は、紙、プラスチック、その他適宜の材料から構成することができる。
【００１６】
≪第２容器２０≫
第２容器２０は、プラスチック成型品で構成された第２容器本体２１と、その周壁を覆う第２帯体２２とで構成される。
【００１７】
プラスチック製の第２容器本体２１の開口周縁には、フランジ部２１ａが設けられている。フランジ部２１ａは、第２容器本体２１をプラスチック成形する際に一体的に形成する。
フランジ部２１ａの具体的形状は、図示のものには限られず、第１容器本体上端のカール部１１ａに対して、その外側から弾性的に嵌合できるものであればよい。これにより、第１容器１０と第２容器２０は、その上部開口を付き合わせるようにして、着脱可能に連結されることとなる。
図２は、第１容器１０および第２容器２０を分離した状態で示しており、図３は、両者を連結した状態を示している。図３では、連結部を部分的に拡大して示している。
【００１８】
第２容器本体２１の周囲には第２帯体２５が巻き付けられていて、２重壁構造を為している。この２重壁構造も、第１容器１０の場合と同様、容器の断熱性および保温性を高めるために設けられるものである。すなわち、本発明の包装容器を構成する第１および第２の２つの容器は、その両方ともが調理に供される。
【００１９】
図示の例では、第２容器本体２１と第２帯体２５との間には空間は存在せず、第２帯体２５が単に第２容器本体２１の周囲に巻き付けられた構成であるが、第１容器１０の場合と同様に、第２容器本体２１と第２帯体２５との間に空間を設ける構成としてもよい。
【００２０】
すなわち、第２容器本体２１の周壁上に一定間隔で複数の突出部（リブ等）を設け、その上に帯体を直接巻き付けることで、空間を確保できる。また、第２帯体２５の上下端の内側にカール部を設けることで、第２容器本体２１と第２帯体２５の間に空間を設けることができる。
【００２１】
≪即席スパゲッティに適用する場合≫
第１容器１０の上部開口は、通常のカップ入り即席ラーメンに見られるような、シート状の蓋材（図示せず）で封止されている。すなわち、第１容器１０に乾燥麺を入れて、これに熱湯を注いで当該蓋材で封止する。所定時間経過後、蓋材を除去して、麺（パスタ）が出来上がる。
一方、第２容器２０は、そのような蓋材を備えておらず、常時開口した状態にある。ソースを封入したレトルトパックを第２容器２０に入れて熱湯を注ぐ。所定時間経過後、熱湯を捨てて、レトルトパックを開封して、ソースを第２容器２０内に取り出す。
このようにして、麺（パスタ）とソースを別々に調理して喫食可能とした状態を図１に概略的に示している。
乾燥麺や、ソースを封入したレトルトパック、その他の具材は、適宜個別に袋に入れる等して、第１容器１０あるいは第２容器２０内に収容する。そして、両容器１０、２０を連結した状態で、即席食品として販売する。
【００２２】
この例では、第１容器１０には、お湯を注いで蒸らすためのシート状蓋が設けられ、第２容器２０は、そのような蓋材を有しない常時開口タイプものものであった。
しかし、第１容器および第２容器のいずれにシート状蓋を設けるかについては、当該包装容器をどのような即席食品に適用するのか、あるいは調理方法をどのように設定するのかに応じて、適宜選択することができる。
【００２３】
本発明の包装容器は、即席スパゲッティに限られず、適宜の食品に対して適用することができる。第１容器１０および第２容器２０の両方が２重壁構造を有しているので、両方の容器が共に調理に供され、両者に熱湯を注ぐことが必要となる場合に特に適している。
【図面の簡単な説明】
【００２４】
【図１】本発明の包装容器を即席スパゲッティに適用した場合を示す概略斜視図。
【図２】一実施形態に係る包装容器を分離した状態で示す一部破断図。
【図３】図２の包装容器を連結状態で示す一部破断図。
【符号の説明】
【００２５】
１０  第１容器
１１  第１容器本体
１１ａ  カール部
１５  第１帯体
１６  カール部
１９  空間
２０  第２容器
２１  第２容器本体
２１ａ  フランジ部
２５  第２帯体
【図１】
2008189329.tif 000003
【図２】
2008189329.tif 000004
【図３】
2008189329.tif 000005